(57)【要約】      （修正有）【課題】２つのレーザーヘッドを回転可能に設ける構成を有することから、容易に整備を行うことができると共に、使用上の利便性を向上させることができるレーザー測量器を提供する。【解決手段】ベース部材１１と、該ベース部材上に設けられる設置台１２と、該設置台に設けられると共に、設置台１２をベース部材１１の上部に設置するためのベース１２１と、該ベースの両側にそれぞれ設けられ、上方に向かって延出する２つのアーム１２２と、該２つのアームの間に設置される俯仰方向に回転可能な回転部１３とを具備する基盤装置１０と、回転部１３の上部に設置されると共に、水平方向にレーザー光線を発射することができる回転可能な第１レーザーヘッド２１と、該回転部の下部に設置されると共に、垂直方向にレーザー光線を発射することができる回転可能な第２レーザーヘッド２２とを具備するレーザーレンズセット２０と、を有することを特徴とする。【選択図】図１
0003151690.tif 000002
【実用新案登録請求の範囲】
【請求項１】
ベース部材と、該ベース部材上に設けられる設置台と、該設置台に設けられると共に、該設置台をベース部材の上部に設置するためのベースと、該ベースの両側にそれぞれ設けられ、上方に向かって延出する２つのアームと、該２つのアームの間に設置される俯仰方向に回転可能な回転部とを具備する基盤装置と、
前記回転部の上部に設置されると共に、水平方向にレーザー光線を発射することができる回転可能な第１レーザーヘッドと、該回転部の下部に設置されると共に、垂直方向にレーザー光線を発射することができる回転可能な第２レーザーヘッドとを具備するレーザーレンズセットと、を有することを特徴とするレーザー測量器。
【請求項２】
前記回転部の下部正面中央には、前方及び下方に向かって開口部を有する凹部が凹設され、
前記第１レーザーヘッドが回転部の上部中央に設置され、前記第２レーザーヘッドが前記凹部の内部に設置されることを特徴とする請求項１に記載のレーザー測量器。
【請求項３】
前記回転部は矩形状の箱体であり、その中央に前後方向に向かって設置穴が穿設され、該設置穴の内部に経緯儀望遠鏡が設けられ、該経緯儀望遠鏡の後端にのぞき穴が設けられることを特徴とする請求項１又は請求項２に記載のレーザー測量器。
【請求項４】
前記ベースの正面にレーザー操作パネルが設けられると共に、該ベースの背面に経緯儀操作パネルが設けられることを特徴とする請求項３に記載のレーザー測量器。
【考案の詳細な説明】
【技術分野】
【０００１】
本考案は、特に測量機能と、垂直、水平位置の位置決め機能を有するレーザー測量器に関するものである。
【背景技術】
【０００２】
従来のレーザー測量器は、例えば台湾登録実用新案第５３４３１２号「多面的な測量が可能なレーザー測量器」のように、基盤と、基盤に固設されるハウシングと、ハウシングに設けられる３つのレーザーヘッドとを有するものであり、該３つのレーザーヘッドは夫々、Ｘ軸、Ｙ軸及びＺ軸に対応し、モーター駆動により回転可能となり、回転しながらレーザー光線を発射することができる。
【０００３】
使用時、前記従来のレーザー測量器における前記３つのレーザーヘッドから、互いに直交する３筋のレーザー光線を特定の空間に発射させることができる。前記３筋のレーザー光線により、三次元の測量又はセッチングアウト関連の工程を行うことができる。
【特許文献１】台湾登録実用新案第５３４３１２号明細書
【考案の開示】
【考案が解決しようとする課題】
【０００４】
しかしながら、前記従来のレーザー測量器は、そのハウシングが基盤に固設されるものであることから、俯仰方向において投影の角度を調整することができないので、使用場所が非常に限られているといった問題があった。また、前記３つのレーザーヘッドを校正する時には、各レーザーヘッドを他のレーザーヘッドと対比しながら校正しなければならなく、校正作業がし難いので、容易に整備することができないといった問題があった。
【０００５】
そこで、案出されたのが本考案であって、２つのレーザーヘッドを回転可能に設けることにより、容易に整備することができると共に、使用上の利便性をより向上させたレーザー測量器を提供することを目的としている。
【課題を解決するための手段】
【０００６】
本願の請求項１の考案は、ベース部材と、該ベース部材上に設けられる設置台と、該設置台に設けられると共に、該設置台をベース部材の上部に設置するためのベースと、該ベースの両側にそれぞれ設けられ、上方に向かって延出する２つのアームと、該２つのアームの間に設置される俯仰方向に回転可能な回転部とを具備する基盤装置と、
前記回転部の上部に設置されると共に、水平方向にレーザー光線を発射することができる回転可能な第１レーザーヘッドと、該回転部の下部に設置されると共に、垂直方向にレーザー光線を発射することができる回転可能な第２レーザーヘッドとを具備するレーザーレンズセットと、を有することを特徴とするレーザー測量器、を提供する。
【０００７】
本願の請求項２の考案は、前記回転部の下部正面中央には、前方及び下方に向かって開口部を有する凹部が凹設され、
前記第１レーザーヘッドが回転部の上部中央に設置され、前記第２レーザーヘッドが前記凹部の内部に設置されることを特徴とする請求項１に記載のレーザー測量器、を提供する。
【０００８】
本願の請求項３の考案は、前記回転部は矩形状の箱体であり、その中央に前後方向に向かって設置穴が穿設され、該設置穴の内部に経緯儀望遠鏡が設けられ、該経緯儀望遠鏡の後端にのぞき穴が設けられることを特徴とする請求項１又は請求項２に記載のレーザー測量器、を提供する。
【０００９】
本願の請求項４の考案は、前記ベースの正面にレーザー操作パネルが設けられると共に、該ベースの背面に経緯儀操作パネルが設けられることを特徴とする請求項３に記載のレーザー測量器、を提供する。
【考案の効果】
【００１０】
本考案は上記の課題を解決するものであり、２つのレーザーヘッドしか用いないことから、校正作業に係る時間や労力を節約することができるので、インストールや整備が非常に用意であり、また、前記基盤装置は角度を調整できる回転可能なものであるので、俯仰方向に十字形に投影されるレーザー光線の角度を調整することにより、様々な場面において本考案に係るレーザー測量器を活用することができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係るレーザー測量器の斜視図であり、図２は本考案に係るレーザー測量器の他の斜視図であり、図３は本考案に係るレーザー測量器の正面図であり、図４は本考案に係るレーザー測量器の平面図であり、図５及び図６は本考案に係るレーザー測量器の使用状態を示す斜視図である。
【００１３】
図１乃至図３に示すように、本考案に係るレーザー測量器は、基盤装置（１０）と、レーザーレンズセット（２０）とを有するものである。
【００１４】
前記基盤装置（１０）は、ベース部材（１１）と、該ベース部材（１１）上に設けられる設置台（１２）と、該設置台（１２）に設けられると共に、該設置台（１２）をベース部材（１１）の上部に設置するためのベース（１２１）と、該ベース（１２１）の両側にそれぞれ設けられ、上方に向かって延出する２つのアーム（１２２）と、該２つのアーム（１２２）の間に設置される俯仰方向に回転可能な回転部（１３）とを有する。
【００１５】
前記ベース（１２１）の正面には、レーザー操作パネル（１２３）が設けられると共に、背面には、経緯儀操作パネル（１２４）が設けられる。
【００１６】
前記回転部（１３）は矩形の箱であり、その中央に前後方向に向かって設置穴（１３１）が穿設されると共に、下部正面中央に前方及び下方に向かって開口部を有する凹部（１３２）が凹設される。
【００１７】
前記レーザーレンズセット（２０）は、第１レーザーヘッド（２１）と、第２レーザーヘッド（２２）とを有し、該第１レーザーヘッド（２１）は、前記回転部（１３）の上部に設置されると共に、水平方向にレーザー光線を発射することができる回転可能なレーザーヘッドであり、一方、該第２レーザーヘッド（２２）は、該回転部（１３）の下部に設置されると共に、垂直方向にレーザー光線を発射することができる回転可能なレーザーヘッドである。
【００１８】
又、前記凹部（１３２）を有する実施形態においては、前記第１レーザーヘッド（２１）が前記回転部（１３）の上部中央に設けられると共に、前記第２レーザーヘッド（２２）が凹部（１３２）の内部に設けられることが好ましい。
【００１９】
さらに、前記設置穴（１３１）が穿設される実施形態においては、該設置穴（１３１）の内部に経緯儀望遠鏡（３０）が設けられると共に、該経緯儀望遠鏡（３０）の後端にのぞき穴（３１）が設けられる。ことが好ましい。
【００２０】
前記ベース部材（１１）の構成によれば、本考案に係るレーザー測量器を三脚に結合させることができる。また、図４及び図５に示すように、使用時には、前記第１レーザーヘッド（２１）及び第２レーザーヘッド（２２）を同時に起動させ、又は一方だけを起動させて、レーザー光線を発射させることができる。
【００２１】
前記第１レーザーヘッド（２１）のみを使用する時には、水平方向へレーザー光線を発射し、例えば傾斜地の測量や室外水平計測を行うことができ、一方、前記第２レーザーヘッド（２２）のみを使用する時には、垂直方向へレーザー光線を発射し、垂直面の測量を行うことができる。また、前記第２レーザーヘッド（２２）は回転可能なものであるので、前記レーザー操作パネル（１２３）を使って所望の角度などを入力すれば、前記第２レーザーヘッド（２２）の回転角度の幅を調整することができる。故に、前記第２レーザーヘッド（２２）が発射するレーザー光線を扇形の軌跡に沿って走査させ、測量を行うことができる。前記第２レーザーヘッド（２２）が発射するレーザー光線を用いれば、容易に角度又は傾斜度の測定における位置決め作業を行うことができる。
【００２２】
また、前記第１レーザーヘッド（２１）及び第２レーザーヘッド（２２）を同時に起動させれば、互いに交差する垂直のレーザー光線及び水平のレーザー光線を発射することができるので、十字形のセッティングアウトとして、前記垂直のレーザー光線及び水平のレーザー光線を壁などに投影することができ、図６に示すように、回転部（１３）は、俯仰方向に沿って角度を調整することができるものであるので、レーザーレンズセット（２０）が発射する十字形のレーザー光線の角度を調整することにより、様々な場面において本考案に係るレーザー測量器を活用することができる。
【００２３】
さらに、前記経緯儀望遠鏡（３０）と、該経緯儀望遠鏡（３０）を制御するための経緯儀操作パネル（１２４）とが設けられる実施形態においては、レーザー測量の機能を提供するだけでなく、経緯儀としての機能を提供することもできるので、測角と測距とを同時に行うことのできる測量機器、つまりトータル・ステーション（Total station, TS）として、前記複数の機能を提供することができる。
【産業上の利用可能性】
【００２４】
本考案は上記の構成を有するので、容易に整備を行うことができ、また、基盤装置は、角度を調整することができる回転可能なものであるので、俯仰方向に沿って十字形に投影されるレーザー光線の角度を調整し、様々な場面において本考案に係るレーザー測量器を活用することができる。
【図面の簡単な説明】
【００２５】
【図１】本考案に係るレーザー測量器の斜視図である。
【図２】本考案に係るレーザー測量器の他の斜視図である。
【図３】本考案に係るレーザー測量器の正面図である。
【図４】本考案に係るレーザー測量器の平面図である。
【図５】本考案に係るレーザー測量器の使用状態を示す斜視図である。
【図６】本考案に係るレーザー測量器の使用状態を示す斜視図である。
【符号の説明】
【００２６】
１０ 基盤装置
１１ ベース部材
１２ 設置台
１２１ ベース
１２２ アーム
１２３ レーザー操作パネル
１２４ 経緯儀操作パネル
１３ 回転部
１３１ 設置穴
１３２ 凹部
２０ レーザーレンズセット
２１ 第１レーザーヘッド
２２ 第２レーザーヘッド
３０ 経緯儀望遠鏡
３１ のぞき穴
【図１】
0003151690.tif 000003
【図２】
0003151690.tif 000004
【図３】
0003151690.tif 000005
【図４】
0003151690.tif 000006
【図５】
0003151690.tif 000007
【図６】
0003151690.tif 000008